(57)【要約】【課題】アルバム等の冊子を簡易に製造する。【解決手段】本文２の山折れ線に対応する箇所に切り込みを入れたうえで本文を山折れ線上で二つ折りする本文折り工程と、二つ折りされた本文の一方の外面に接着剤を塗布する接着剤本文塗布工程と、先に堆積する本文に後から堆積する本文の接着剤が付着するように本文を積み重ねて堆積体３を形成する本文重畳工程と、表紙４の折れ線に対応する箇所に折り目を入れたうえで表紙を折り目上で二つ折りする表紙折り工程と、二つ折りされた表紙の一方の内面に接着剤を塗布する接着剤内面塗布工程と、二つ折りされた表紙をその接着剤が堆積体の一方の外面に付着するように堆積体に重ねる表紙重畳工程と、表紙を反転させて堆積体の他方の外面の接着剤に付着させる表紙くるみ工程とを経て冊子を製造する。【選択図】図６
2010221678.tif 000002
【特許請求の範囲】
【請求項１】
二つ折りされた本文と、この本文を覆う一枚の表紙とを具備した冊子において、上記本文は山折れ線上に切り込みが刻設されたうえで二つ折りされることにより形成され、上記本文の外面と表紙の内面との間が接着剤で接着され、上記接着剤は本文及び表紙の端縁よりも内側に留まるように塗布されたことを特徴とする冊子。
【請求項２】
複数枚の本文が積み重ねられた堆積体と、この本文の堆積体を覆う一枚の表紙とを具備した冊子において、各本文は山折れ線上に切り込みが刻設されたうえで二つ折りされることにより形成され、上記堆積体のうち隣り合う本文の外面同士が接着剤で接着され、上記堆積体の外側本文の外面と表紙の内面との間が接着剤で接着され、上記接着剤は本文及び表紙の端縁よりも内側に留まるように塗布されたことを特徴とする冊子。
【請求項３】
請求項１又は請求項２に記載の冊子において、上記接着剤が両面粘着テープであることを特徴とする冊子。
【請求項４】
請求項１乃至請求項３のいずれかに記載の冊子において、上記堆積体の背と上記表紙の背との間に空隙が設けられたことを特徴とする冊子。
【請求項５】
本文の山折れ線に対応する箇所に切り込みを入れたうえで本文を山折れ線上で二つ折りする本文折り工程と、二つ折りされた本文の一方の外面に接着剤を塗布する接着剤本文塗布工程と、先に堆積する本文に後から堆積する本文の接着剤が付着するように本文を積み重ねて堆積体を形成する本文重畳工程と、表紙の折れ線に対応する箇所に折り目を入れたうえで表紙を折り目上で二つ折りする表紙折り工程と、二つ折りされた表紙の一方の内面に接着剤を塗布する接着剤内面塗布工程と、二つ折りされた表紙をその接着剤が上記堆積体の一方の外面に付着するように堆積体に重ねる表紙重畳工程と、上記表紙を反転させて上記堆積体の他方の外面の接着剤に付着させる表紙くるみ工程とを包含してなることを特徴とする冊子の製造方法。
【請求項６】
請求項５に記載の冊子の製造方法において、上記本文重畳工程又は上記表紙重畳工程は、一方の外面にこの外面の端縁よりも内側に留まるように接着剤が塗布された本文又は一方の内面にこの内面の端縁よりも内側に留まるように接着剤が塗布された表紙を接着剤側が凹面となるように弾性的に湾曲させ、先に集積されて平坦に戻った本文に対して凹面の両側縁を当接せしめ、続いてこの本文又は表紙の凸面を上記先に集積された本文に対して押圧することによって行うことを特徴とする冊子の製造方法。
【請求項７】
本文の山折れ線に対応する箇所に切り込みを入れる切り込み手段と、表紙の折れ線に対応する箇所に折り目を入れる折り目入れ手段と、切り込みを入れられた本文又は折り目を入れられた表紙を山折れ線上又は折り目上で二つ折りする折り手段と、二つ折りされた本文の一方の外面又は二つ折りされた表紙の一方の内面に接着剤を塗布する接着剤塗布手段と、先に堆積する本文に後から堆積する本文の接着剤が付着するように本文を積み重ねて堆積体を形成し、二つ折りされた表紙をその接着剤が上記堆積体の一方の外面に付着するように堆積体に重ねる重畳手段と、上記表紙を反転させて上記堆積体の他方の外面の接着剤に付着させる表紙くるみ手段とを包含してなることを特徴とする冊子の製造装置。
【請求項８】
請求項７に記載の冊子の製造装置において、上記重畳手段は、一方の外面にこの外面の端縁よりも内側に留まるように接着剤が塗布された本文又は一方の内面にこの内面の端縁よりも内側に留まるように接着剤が塗布された表紙を紙面に垂直方向に本文又は表紙の幅より狭い通路によって案内する第一のガイド体と、第一のガイド体を通過した本文又は表紙を本文又は表紙の幅に略等しい通路によって案内する第二のガイド体と、第一のガイド体の手前で本文又は表紙を接着剤側が凹面となるように弾性的に湾曲させる湾曲手段と、湾曲した本文又は表紙の凸面の両側を押圧しつつ第一のガイド体内を通過させ、第二のガイド体内で本文又は表紙の凹面の両側を先に集積されて平坦に戻った本文に対して当接せしめる第一の押圧体と、第二のガイド体内で本文又は表紙の凸面を上記先に集積された本文に対して押圧する第二の押圧体とを具備したことを特徴とする冊子の製造装置。
【請求項９】
請求項８に記載の冊子の製造装置において、上記湾曲手段が、第一のガイド体内を通過する本文又は表紙の端に接触可能に設けられた突起であることを特徴とする冊子の製造装置。
【請求項１０】
請求項８に記載の冊子の製造装置において、上記湾曲手段が、第一のガイド体の入口へと本文又は表紙を搬送する搬送路上に設けられたガイド棒であることを特徴とする冊子の製造装置。
【発明の詳細な説明】
【技術分野】
【０００１】
本発明は、アルバム等の冊子と、その冊子を製造する方法及び装置に関する。
【背景技術】
【０００２】
従来、アルバムとして、現像処理された写真プリントの一辺を接着して冊子状にしたものが知られている。このアルバムは、連続状の印画紙に画像を焼き付けて枚葉状に切断し、全枚葉を積み重ね、その積み重ねた枚葉の背に接着剤を塗布して全枚葉を一体化することによって形成される（例えば、特許文献１参照。）。
【０００３】
また、帳票を集積して、背に糊付けし一体化することにより冊子状にまとめることも知られている（例えば、特許文献２参照。）。
【先行技術文献】
【特許文献】
【０００４】
【特許文献１】特開平６−２６６０８７号公報
【特許文献２】特開平１０−２１７６３２号公報
【発明の概要】
【発明が解決しようとする課題】
【０００５】
従来の冊子は、枚葉物を積み重ねてそれらの一端や背に接着剤を塗布することで一体化しているので、冊子を開き難いという問題があり、また、枚葉物が分解、分離しやすいという問題がある。
【０００６】
従って、本発明は、問題点を解決することができる冊子と、その製造方法及び装置を提供することを課題とする。
【課題を解決するための手段】
【０００７】
上記課題を解決するため、本発明は次のような構成を採用する。
【０００８】
なお、本発明の理解を容易にするため図面の参照符号を括弧書きで付するが、本発明はこれに限定されるものではない。
【０００９】
請求項１に係る発明は、二つ折りされた本文（２）と、この本文（２）を覆う一枚の表紙（４）とを具備した冊子において、上記本文（２）は山折れ線上に切り込み（５）が刻設されたうえで二つ折りされることにより形成され、上記本文（２）の外面と表紙（４）の内面との間が接着剤（８）で接着され、上記接着剤（８）は本文（２）及び表紙（４）の端縁よりも内側に留まるように塗布された冊子を採用する。
【００１０】
請求項２に係る発明は、複数枚の本文（２）が積み重ねられた堆積体（３）と、この本文（２）の堆積体（３）を覆う一枚の表紙（４）とを具備した冊子において、各本文（２）は山折れ線上に切り込み（５）が刻設されたうえで二つ折りされることにより形成され、上記堆積体（３）のうち隣り合う本文（２）の外面同士が接着剤（８）で接着され、上記堆積体（３）の外側本文（２）の外面と表紙（４）の内面との間が接着剤（８）で接着され、上記接着剤（８）は本文（２）及び表紙（４）の端縁よりも内側に留まるように塗布された冊子を採用する。
【００１１】
請求項３に記載されるように、請求項１又は請求項２に記載の冊子において、上記接着剤（８）は両面粘着テープ（８ａ）とすることができる。
【００１２】
請求項４に記載されるように、請求項１乃至請求項３のいずれかに記載の冊子において、上記堆積体（３）の背と上記表紙（４）の背との間に空隙（１０）が設けられたものとすることができる。
【００１３】
また、請求項５に係る発明は、本文（２）の山折れ線に対応する箇所に切り込み（５）を入れたうえで本文（２）を山折れ線上で二つ折りする本文折り工程と、二つ折りされた本文（２）の一方の外面に接着剤（８）を塗布する接着剤本文塗布工程と、先に堆積する本文（２）に後から堆積する本文（２）の接着剤（８）が付着するように本文（２）を積み重ねて堆積体（３）を形成する本文重畳工程と、表紙（４）の折れ線に対応する箇所に折り目（９ｂ）を入れたうえで表紙（４）を折り目（９ｂ）上で二つ折りする表紙折り工程と、二つ折りされた表紙（４）の一方の内面に接着剤（８）を塗布する接着剤内面塗布工程と、二つ折りされた表紙（４）をその接着剤（８）が上記堆積体（３）の一方の外面に付着するように堆積体（３）に重ねる表紙重畳工程と、上記表紙（４）を反転させて上記堆積体（３）の他方の外面の接着剤（８）に付着させる表紙くるみ工程とを包含してなる冊子の製造方法を採用する。
【００１４】
請求項６に記載されるように、請求項５に記載の冊子の製造方法において、上記本文重畳工程又は上記表紙重畳工程は、一方の外面にこの外面の端縁よりも内側に留まるように接着剤（８）が塗布された本文（２）又は一方の内面にこの内面の端縁よりも内側に留まるように接着剤（８）が塗布された表紙（４）を接着剤（８）側が凹面となるように弾性的に湾曲させ、先に集積されて平坦に戻った本文（２）に対して凹面の両側縁を当接せしめ、続いてこの本文（２）又は表紙（４）の凸面を上記先に集積された本文（２）に対して押圧することによって行うものとすることができる。
【００１５】
また、請求項７に係る発明は、本文（２）の山折れ線に対応する箇所に切り込み（５）を入れる切り込み手段（１１）と、表紙（４）の折れ線に対応する箇所に折り目（９ｂ）を入れる折り目入れ手段（１２）と、切り込み（５）を入れられた本文（２）又は折り目を入れられた表紙（４）を山折れ線上又は折り目（９ｂ）上で二つ折りする折り手段（１３）と、二つ折りされた本文（２）の一方の外面又は二つ折りされた表紙（４）の一方の内面に接着剤（８）を塗布する接着剤塗布手段（１４）と、先に堆積する本文（２）に後から堆積する本文（２）の接着剤（８）が付着するように本文（２）を積み重ねて堆積体（３）を形成し、二つ折りされた表紙（４）をその接着剤（８）が上記堆積体（３）の一方の外面に付着するように堆積体（３）に重ねる重畳手段（１５）と、上記表紙（４）を反転させて上記堆積体（３）の他方の外面の接着剤（８）に付着させる表紙くるみ手段（１６）とを包含してなる冊子の製造装置を採用する。
【００１６】
請求項８に記載されるように、請求項７に記載の冊子の製造装置において、上記重畳手段（１５）は、一方の外面にこの外面の端縁よりも内側に留まるように接着剤（８）が塗布された本文（２）又は一方の内面にこの内面の端縁よりも内側に留まるように接着剤（８）が塗布された表紙（４）を紙面に垂直方向に本文（２）又は表紙（４）の幅より狭い通路によって案内する第一のガイド体（３０）と、第一のガイド体（３０）を通過した本文（２）又は表紙（４）を本文（２）又は表紙（４）の幅に略等しい通路によって案内する第二のガイド体（３１）と、第一のガイド体（３０）の手前で本文（２）又は表紙（４）を接着剤（８）側が凹面となるように弾性的に湾曲させる湾曲手段（３７，４６ａ，４６ｂ，４６ｃ）と、湾曲した本文（２）又は表紙（４）の凸面の両側を押圧しつつ第一のガイド体（３０）内を通過させ、第二のガイド体（３１）内で本文（２）又は表紙（４）の凹面の両側を先に集積されて平坦に戻った本文（２）に対して当接せしめる第一の押圧体（３２）と、第二のガイド体（３１）内で本文（２）又は表紙（４）の凸面を上記先に集積された本文（２）に対して押圧する第二の押圧体（３３）とを具備したものとすることができる。
【００１７】
請求項９に記載されるように、請求項８に記載の冊子の製造装置において、上記湾曲手段は、第一のガイド体内を通過する本文（２）又は表紙（４）の端に接触可能に設けられた突起（３７）とすることができる。
【００１８】
請求項１０に記載されるように、請求項８に記載の冊子の製造装置において、上記湾曲手段は、第一のガイド体（３０）の入口へと本文（２）又は表紙（４）を搬送する搬送路上に設けられたガイド棒（４６ａ，４６ｂ，４６ｃ）とすることができる。
【発明の効果】
【００１９】
本発明に係る冊子によれば、一部又は複数部の本文（２）を一枚の表紙で包んでなる冊子をページの開閉が容易であり、また、本文（２）の中央に皺が生じにくい構造にすることができる。
【００２０】
また、本発明の製造方法及び装置によれば、上記冊子を簡易に製造することができる。
【図面の簡単な説明】
【００２１】
【図１】本発明に係る冊子の斜視図である。
【図２】図１の冊子を開いた状態で示す斜視図である。
【図３】図１中、ＩＩＩ−ＩＩＩ線矢視断面図である。
【図４】（Ａ）は本文を開いた状態で示す斜視図、（Ｂ）は図（Ａ）中、要部の拡大図である。
【図５】表紙を開いた状態で示す斜視図である。
【図６】本発明に係る冊子製造装置の一例の概略を示す斜視図である。
【図７】接着剤塗布部の側面図であり、（Ａ）は塗布前の状態を示し、（Ｂ）は塗布中の状態を示す。
【図８】接着剤塗布部の変形例の側面図であり、（Ａ）は塗布前の状態を示し、（Ｂ）は塗布中の状態を示す。
【図９】本文及び表紙を集積する集積部の正面図であり、（Ａ）は二つ折りされた本文がガイド壁の入口に入った状態を示し、（Ｂ）は二つ折りされた本文が両側押圧体によってガイド壁間へと押し込まれ、ピンに当たって湾曲した状態を示し、（Ｃ）は二つ折りされた本文が両側押圧体によってガイド壁間へ更に深く押し込まれ、ピンから外れた状態を示す。
【図１０】（Ｄ）は二つ折りされた本文が両側押圧体によってガイド壁間へ更に深く押し込まれ、すでに集積された本文の外面上に湾曲したまま重なった状態を示し、（Ｅ）は湾曲した本文の中央部が中央押圧体によって、すでに集積された本文の外面上に押圧された状態を示す。
【図１１】本文及び表紙を集積する集積部の斜視図であり、（Ａ）は本文の堆積体を収容した集積部に表紙が送られた状態を示し、（Ｂ）は表紙が反転し始める状態を示し、（Ｃ）は表紙が開いた状態を示す。
【図１２】（Ｄ）は表紙の背が本文の堆積体の背に到達した状態を示し、（Ｅ）は表紙が本文の堆積体を包み終えた状態を示し、（Ｆ）は堆積体が表紙と共にプレスされる状態を示す。
【図１３】冊子製造装置の他の実施の形態を示す斜視図である。
【発明を実施するための形態】
【００２２】
以下、図面を参照して本発明を実施するための形態について説明する。
【００２３】
＜実施の形態１＞
図１乃至図５に示すように、冊子であるアルバム１は、複数枚の本文２が積み重ねられた堆積体３と、この本文２の堆積体３を覆う一枚の表紙４とを具備する。
【００２４】
各本文２は、図４（Ａ）（Ｂ）に示すように、山折れ線上に切り込み５が刻設されたうえで二つ折りされることにより形成される。このように、本文２が切り込み５を入れた箇所で山折りされるので、本文２が円滑に二つ折りされることとなり、本文の内面の谷折れ線５ａの近傍に皺が生じにくい。従って、本文２の内面にプリントされる写真、絵、文字等の画像が綺麗に表示されることになる。
【００２５】
この切り込み５は、図４（Ｂ）に示すように、本文２が画像の表示される樹脂層６と樹脂層６を支える紙層７との積層シートで形成される場合、紙層７に対してハーフカット状に入れられる。
【００２６】
また、図３に示すように、本文２の堆積体３のうち隣り合う本文２の外面同士が接着剤８で接着され、堆積体３のうち外側本文２の外面と表紙４の内面との間が接着剤８で接着される。これにより、本文同士が分離しないように強固に接合され、また、本文２の堆積体３から表紙４が容易に剥がれないように表紙４が堆積体３に強固に接合される。
【００２７】
表紙４は、図３及び図５に示すように、堆積体３の二つの外面に夫々接着される平部４ａと、平部４ａ，４ａ間を結ぶ背部４ｂとを具備する。表紙４は本文２と同様な層構成の積層シートで作ることができ、その表紙４の平部４ａや背部４ｂの表面には、必要に応じて所望の画像が表示される。表紙４の平部４ａと背部４ｂとの境には、図３及び図５に示すように折り目９ａ，９ｂ，９ｃ，９ｄが形成される。これにより、冊子としてのアルバム１の開閉を簡易に行うことができ、また、容易に開状態を保持することができる。
【００２８】
接着剤８は、この実施の形態１では両面粘着テープが用いられるが、液状糊等を用いることも可能である。
【００２９】
また、接着剤８は、図３に示すように、本文２及び表紙４の端縁よりも内側に留まるように塗布される。これにより、アルバム１の端縁から接着剤８が食み出さないようにすることができ、接着剤８が食み出たならば生ずるであろう本文同士の接着、アルバムの汚れ等が防止される。接着剤８は本文２及び表紙４の端縁よりも例えば３ｍｍ程度内側に収まるように塗布される。
【００３０】
本文２の堆積体３の背と表紙４の背部４ｂとの間には、図１乃至図３に示すように、空隙１０が設けられる。この空隙１０は表紙４の背部４ｂを堆積体３の背に接着しないようにすることによっても形成可能であるが、望ましくは、堆積体３の背の幅よりも表紙４の背部４ｂの幅を大きくして表紙４の背部４ｂを外側に膨出させるようにして形成される。これにより、冊子としてのアルバム１の開閉が簡易かつ迅速化される。
【００３１】
なお、上記アルバム１は二つ折りした複数枚の本文２を含んだものとして構成されるが、二つ折りした本文２を一枚のみ含んだものとして構成することも可能である。すなわち、その場合は、本文２が山折れ線上に切り込み５が刻設されたうえで二つ折りされることにより形成され、この本文２の外面と表紙４の内面との間が接着剤８で接着されることにより冊子としてのアルバム１が構成される。
【００３２】
次に、上記冊子であるアルバム１を製造する装置について製造方法の説明を織り込みながら説明する。
【００３３】
図６に示すように、冊子製造装置は、本文２の山折れ線に対応する箇所に切り込みを入れる切り込み部１１と、表紙４の折れ線に対応する箇所に折り目９ａ,９ｂ,９ｃ,９ｄを入れる折り目入れ部１２と、切り込み５を入れられた本文２又は折り目９ａ,９ｂ,９ｃ,９ｄを入れられた表紙４を中央の山折れ線上又は折り目９ａ,９ｂ,９ｃ,９ｄのいずれかの上で二つ折りする折り部１３と、二つ折りされた本文２の一方の外面又は二つ折りされた表紙４の一方の内面に接着剤８を塗布する接着剤塗布部１４と、先に堆積する本文２に後から堆積する本文２の接着剤８が付着するように本文２を積み重ねて堆積体３を形成し、二つ折りされた表紙４をその接着剤８が上記堆積体３の一方の外面に付着するように堆積体３に重ねる重畳部１５と、上記表紙４を反転させて上記堆積体３の他方の外面の接着剤８に付着させる表紙くるみ部１６とを具備する。
【００３４】
この冊子製造装置は、図示しない垂直方向に起立するフレームを有する。このフレームの上部に上記切り込み部１１と、上記折り目入れ部１２と、上記折り部１３とが略水平方向に並ぶように設置される。また、フレーム内の上記折り部１３の下方に、上記接着剤塗布部１４と、上記重畳部１５と、表紙くるみ部１６とが上から下へと順に設置される。
【００３５】
図６に示すように、切り込み部１１と、折り目入れ部１２とは、水平面上の略同じ箇所に設けられる。この水平面上には、枚葉状の本文２と表紙４を各々水平状態で一方向に搬送する図示しない一本又は複数本の無端ベルトが設けられ、無端ベルトの両側には、ガイド板１７が設けられ、無端ベルトの先端側にはストッパ１８が設けられる。また、無端ベルトの上側には、図示しないが本文２又は表紙４を無端ベルト側に押し付ける無端ベルト、ローラ等からなる押え部材が設けられる。
【００３６】
無端ベルトの始端側に、所望の画像が夫々プリントされた本文２又は表紙４が乗せられると、無端ベルトによって本文２又は表紙４が、ガイド板１７に案内されつつ水平方向に走行し、ストッパ１８に当たって停止する。
【００３７】
上記水平面上には、無端ベルト上を走行する本文２の山折れ線に対応する箇所に、図４の如く切り込み５を入れる円盤形のカッター１８ａが回転可能に設けられる。無端ベルトによって本文２が走行すると、本文２の下側でカッター１８ａが回転し、これにより本文２の略中央に図４に示したように切り込み５が入れられる。
【００３８】
また、上記カッター１８ａの近傍には、折り目入れ用ローラ１９が回転可能に設けられる。無端ベルトによって表紙４が走行すると、表紙４の下側で折り目入れ用ローラ１９が回転し、これにより表紙４の背部４ｂに対応した箇所に図５に示したように折り目９ａ，９ｂ，９ｃ，９ｄが入れられる。
【００３９】
上記カッター１８ａと折り目入れ用ローラ１９とは、各々図示しない流体圧シリンダ、モータ等の駆動手段によって交互に上下動するようになっている。すなわち、無端ベルトによって本文２が搬送されるときはカッター１８ａが本文２の搬送路に向かって上昇し、折り目入れ用ローラ１９は降下し、表紙４が搬送されるときはカッター１８ａが下降し、折り目入れ用ローラ１９が表紙４の搬送路に向かって上昇する。
【００４０】
図６に示すように、上記折り部１３は、上記ストッパ１８に当たって停止した本文２又は表紙４の上方で待機するブレード２０を有し、本文２又は表紙４の下方で回転する一対のニップローラ２１を有する。
【００４１】
ブレード２０は、図示しない流体圧シリンダ、モータ等の駆動手段によって上下動するようになっている。ブレード２０はニップローラ２１のニップ部の間近まで降下可能である。ニップローラ２１は本文２又は表紙４を各々二つ折り状態で挟んで下方に送り出すように回転する。
【００４２】
上述したように本文２又は表紙４がストッパ１８に当たって停止すると、ブレード２０が降下し、本文２の谷折れ線５ａ上に当接する。
【００４３】
本文２の谷折れ線５ａと反対側の山折れ線上には切り込み５が入れられているので、本文２は円滑に二つ折り状態になってニップローラ２１間に引き込まれる。ニップローラ２１はこの本文２の折れ曲がった部分を挟み込み、本文２の谷折れ線５ａを正確に形成せしめて下方に送り出す。
【００４４】
また、同様に、表紙４には折り目９ａ，９ｂ，９ｃ，９ｄが入れられており、ブレード２０が降下して例えば一本の折り目９ｂ上に当接すると、表紙４は折り目９ｂ上で二つ折り状態になってニップローラ２１間に引き込まれる。ニップローラ２１はこの表紙４の折れ曲がった部分を挟み込み、二つ折り状態にして下方に送り出す。
【００４５】
図６に示すように、接着剤塗布部１４は、上記ニップローラ２１の下方に配置される。接着剤８としては両面粘着テープが用いられる。図７（Ａ）（Ｂ）に示すように、接着剤塗布部１４は両面粘着テープ８ａの繰り出しロール２２と、繰り出しロール２２から繰り出される両面粘着テープ８ａの剥離紙２３ａを巻き取る巻き取りロール２３とを具備する。繰り出しロール２２と巻き取りロール２３とは、両者間の両面粘着テープ８ａに適度な張力を与えるために矢印方向に常時トルクが負荷される。
【００４６】
繰り出しロール２２と巻き取りロール２３との間には、剥離紙２３ａを両面粘着テープ８ａから剥し取るための剥しローラ２４が設けられる。
【００４７】
また、上記ニップローラ２１から送り出された二つ折りの本文２又は表紙４が通る通路に対向するように、切断ローラ２５と当てローラ２６とが対になって設けられる。切断ローラ２５はその周面上に両面粘着テープ８ａを所定長さで切断する刃２５ａを有し、当てローラ２６はその周面上に切断ローラ２５の刃２５ａが当たるパッド２６ａを有する。
【００４８】
図７（Ａ）に示すように、剥離紙２３ａが剥しローラ２４により剥し取られた両面粘着テープ８ａはその先端が切断ローラ２５と当てローラ２６との間に入った状態で待機する。そこで、上記ニップローラ２１から送り出された二つ折りの本文２が切断ローラ２５と当てローラ２６の近傍に到達すると、同図（Ｂ）に示すように、両ローラ２５，２６が矢印方向に回転し、二つ折りの本文２における一方の外面に当接する。これに伴い、両面粘着テープ８ａが本文２の一方の外面に付着し、本文の走行方向に沿ってストライプ状に貼着する。その後、刃２５ａがパッド２６ａに当たることで両面粘着テープ８ａが切断される。
【００４９】
この両面粘着テープ８ａは、切断ローラ２５と当てローラ２６の回転が制御されることにより、図３に示したように、本文２の外面に対しその端縁から例えば３ｍｍ程度内側に留まるように貼着される。
【００５０】
また、二つ折りされた表紙４の一方の内面についても、上記と同様にして両面粘着テープ８ａが貼着される。
【００５１】
なお、接着剤塗布部１４は、図８（Ａ）（Ｂ）に示すように構成することも可能である。この場合、繰り出しロール２２と巻き取りロール２３とは、両者間の両面粘着テープ８ａに適度な張力を与えるために矢印方向に常時トルクが負荷される。
【００５２】
繰り出しロール２２と巻き取りロール２３との間には、両面粘着テープ８ａを挟む一対の挟みローラ２７と、ガイドローラ２８とが設けられる。そして、挟みローラ２７とガイドローラ２８との間に掛け渡される両面粘着テープ８ａには移動ローラ２９が接する。移動ローラ２９は図８（Ａ）に示す本文２又は表紙４の通路から離れた位置と、同図（Ｂ）に示す本文２又は表紙４に接する位置との間を往復移動可能である。
【００５３】
図８（Ａ）に示すように、両面粘着テープ８ａは剥離紙２３ａ（図７参照）に付着した状態のまま挟みローラ２７とガイドローラ２８との間で静止する。そこで、上記ニップローラ２１から送り出された二つ折りの本文２が到来すると、同図（Ｂ）に示すように、移動ローラ２９が矢印方向に移動し、両面粘着テープ８ａを二つ折りの本文２に押し付ける。これに伴い、両面粘着テープ８ａが本文２の一方の外面に付着し、本文２の走行方向に沿ってストライプ状に貼着する。その後、移動ローラ２９が本文２から離れることで両面粘着テープ８ａが引きちぎられ、これにより所定長さの両面粘着テープ８ａが本文２の外面上に残留する。そして、挟みローラ２７が回転して、両面粘着テープ８ａの新しい部分を繰り出しローラ２２から引き出して停止する。
【００５４】
二つ折りされた表紙４の一方の内面についても、上記と同様にして両面粘着テープ８ａが貼着される。
【００５５】
図６に示すように、重畳部１５は上記接着剤塗布部１４の下方に設置される。
【００５６】
この重畳部１５は、図６、図９および図１０に示すように、一方の外面にこの外面の端縁よりも内側に留まるように接着剤８（図３参照）が塗布された本文２、又は一方の内面にこの内面の端縁よりも内側に留まるように接着剤８が塗布された表紙４を、紙面４に垂直方向に本文２又は表紙４の幅（冊子の高さ方向の幅）よりやや狭い通路によって案内する第一のガイド体３０と、第一のガイド体３０を通過した本文２又は表紙４を本文２又は表紙４の幅に略等しい通路によって案内する第二のガイド体３１と、第一のガイド体３０の手前で本文２又は表紙４を接着剤８側が凹面となるように弾性的に湾曲させる湾曲手段と、湾曲した本文２又は表紙４の凸面の両側を押圧しつつ第一のガイド体３０内を通過させ、第二のガイド体３１内で本文２又は表紙４の凹面の両側を先に集積されて平坦に戻った本文２に対して当接せしめる第一の押圧体３２と、第二のガイド体３１内で本文２又は表紙４の凸面を上記先に集積された本文２に対して押圧する第二の押圧体３３とを具備する。
【００５７】
第一のガイド体３０は、一対の相対向するように配置される壁３０ａによって形成される。この一対の壁３０ａが上記接着剤塗布部１４から降下する本文２又は表紙４をその両側から挟むように配置される。一対の壁３０ａ間における本文２又は表紙４の通路は、その幅が本文２又は表紙４の幅よりもやや小さい幅で、本文２又は表紙４の紙面に垂直な方向に伸びる。この通路の幅は、本文２又は表紙４の背に沿った幅よりも、例えば２ｍｍ〜４ｍｍ小さい。
【００５８】
この第一のガイド体３０の入口側には、本文２又は表紙４を通路内に導入しやすくするために、本文２又は表紙４の上下端が当接しうる斜面３０ｂがホッパ状に形成される。
【００５９】
第二のガイド体３１は、第一のガイド体３０に連続するように設けられ、一対の相対向するように配置される壁３１ａによって形成される。壁３１ａ間の通路の幅は本文２又は表紙４の幅に略等しい。第二のガイド体３１の壁３１ａは、望ましくは第一のガイド体３０の壁３０ａと一体的に形成される。
【００６０】
第二のガイド体３１における通路の幅は第一のガイド体３０における通路の幅より大きいことから、図９および図１０に示すように両者間には段差３４が生じる。この段差３４は例えば１ｍｍ〜２ｍｍ程度である。第二のガイド体３１の通路の幅は、本文２又は表紙４の背に沿った幅より１〜２ｍｍ程広い。
【００６１】
また、図６に示すように、第二のガイド体３１の上記第一のガイド体３０の入口と反対側には、この入口の開口を遮蔽するようにローラ３５の列が垂直方向に配列され、第一と第二のガイド体３０，３１の下側は、開閉板３６により開閉可能に塞がれている。開閉板３６は流体圧シリンダ、モータ等の駆動手段によって開閉動作可能であり、本文２及び表紙４を集積する際は第一と第二のガイド体３０，３１の下側を閉じて本文２及び表紙４の背側を受け止め、本文２等の堆積体３を第一と第二のガイド体３０，３１の外に排出する際に開くようになっている。
【００６２】
湾曲手段は、図６、図９及び図１０に示すように、上記図示しないフレーム側に連結されるピン３７として設けられる。このピン３７が第一のガイド体３０の入口から通路内へと突起となって少しばかり突出する。このピン３７は、図示しない流体圧シリンダ等によって第一のガイド体３０の入口内と入口から水平方向に離脱した位置との二位置間で往復移動可能である。
【００６３】
上記接着剤塗布部１４を経て降下する本文２又は表紙４が第一のガイド体３０の入口に入る前に、図６及び図９（Ａ）に示すように、ピン３７が本文２又は表紙４の折られた背の通り道を横切るように第一のガイド体３０の入口へ突出する。
【００６４】
第一の押圧体３２は、図６、図９及び図１０に示すように、上記第一のガイド体３０の入口に臨むように配置される。第一の押圧体３２は、第二の押圧体３３に弾性体３８を介して保持されつつ、図９（Ａ）に示す第一のガイド体３０の入口に臨む位置と、図１０（Ｅ）に示す第二のガイド体３１内に侵入する位置との二位置間を、往復移動可能である。
【００６５】
第一の押圧体３２は、図９（Ｂ）に示すように、上記ピン３７を間に挟むように配置される二つの板状押圧片として形成される。二つの板状押圧片は、第一のガイド体３０の両壁３０ａに各々沿うように配置される。
【００６６】
図９（Ｂ）に示すように、第一の押圧体３２が第二の押圧体３３に保持されて第一のガイド体３０内へと移動しつつ本文２又は表紙４をピン３７へと押し付けると、本文２又は表紙４が第一のガイド体３０の入口で接着剤８側が凹面となるように弾性的に湾曲し、第一のガイド体３０の通路内に侵入する。そして、図９（Ｃ）に示すように、本文２又は表紙４の背がピン３７を乗り越える。第一の押圧体３２の二つの押圧片は、この湾曲してピン３７を乗り越えた本文２又は表紙４の凸面の両側を押圧しつつ、第一のガイド体３０内を前進し、図９（Ｃ）及び図１０（Ｄ）のごとく本文２又は表紙４を第二のガイド体３１の通路内へと通過させる。
【００６７】
本文２が冊子であるアルバム１を形成する最初のものである時は、本文２は第一の押圧体３２に押されつつローラ３５の列に接して停止する。この本文２には接着剤８が塗布されているが、ローラ３５には接着剤８が付着しないようにフッ素樹脂の塗工処理等が施されている。
【００６８】
第二の押圧体３３は、図６、図９及び図１０に示すように、第一の押圧体３２における二つの押圧片間から押圧片の先端よりも後退した位置で、上記第一のガイド体３０の入口に臨むように配置される。第二の押圧体３３は、本文２又は表紙４の略中央部を押圧しうるように板状に形成される。
【００６９】
第二の押圧体３３は、図示しない流体圧シリンダ、モータ等の駆動手段によって、図９（Ａ）に示す第一のガイド体３０の入口に臨む位置と、図１０（Ｅ）に示す第二のガイド体３１内に侵入する位置との二位置間を、往復移動可能である。
【００７０】
第二の押圧体３３の両側には上記第一の押圧体３２の各押圧片が弾性体３８を介して連結される。弾性体３８は例えば板バネであり、この板バネが第二の押圧体３３から第一の押圧体３２の各押圧片へと伸びて第二の押圧体３３の両側で各押圧片を保持する。
【００７１】
第二の押圧体３３は、図９（Ｂ）〜図１０（Ｄ）に示すように、第一の押圧体３２の押圧片による押圧で本文２又は表紙４が第一のガイド体３０を通過し切るまでは押圧片の先端よりも後方に位置し、図１０（Ｅ）に示すように、本文２又は表紙４が第二のガイド体３１内に入った後に、第一の押圧体３２の先端と同じ位置へと前進する。
【００７２】
この集積される本文２がアルバム１の最初のものである時は、上記第一の押圧体３２によってローラ３５の列に到達した本文２の凸面を、第二の押圧体３３がローラ３５の列に向かって更に押圧する。これにより、最初の本文２はローラ３５の列上に平坦に集積される。
【００７３】
また、図９（Ａ）に示すように、先に集積された本文２が第二のガイド体３１内に存在するときは、上記ピン３７の作用で図１０（Ｄ）に示すように本文２が湾曲しているので、第一の押圧体３２の押圧によってまず本文２の接着剤８の付着していない端縁が先行する本文２の外面に接触し、続いて第二の押圧体３３の押圧によって本文２の中央の凹面が先行する本文２の外面に接触することになる。これにより、本文２同士の接触と接着とがいきなり行われるのではなく、時間差をもって行われることになり、従って、先行する本文２に対し後から積み重ねられる本文２は位置ズレ、ねじれ、皺等を生じることなく、正確な位置関係で貼着され集積されることになる。
【００７４】
図９（Ａ）に示す先に集積された本文２の堆積体３がすでに一冊のアルバム分であるときは、表紙４が上記本文２と同様にして本文２の堆積体上に集積され、図１０（Ｅ）のごとく、表紙４の内面に塗布された接着剤８が最後の本文２の外面に付着する。
【００７５】
図６に示すように、表紙くるみ部１６は、上記重畳部１５の下方に設置される。
【００７６】
表紙くるみ部１６は、上記最後の本文２に貼着された表紙４を反転させて本文２の堆積体における反対面の接着剤８に付着させるためのもので、図６、図１１及び図１２に示すように、表紙反転部材３９と、背折り部材４０と、冊子押し出し部材４１と、加圧部材４２とを具備する。
【００７７】
表紙反転部材３９は、図６及び図１１（Ａ）に示すように、板状のブレードであり、重畳部１５で本文２の堆積体３に貼着される二つ折り表紙４の上方に、図示しない流体圧シリンダ、モータ等の駆動手段によって往復昇降運動可能に設置される。表紙４が本文２の堆積体３に貼着されると、図１１（Ｂ）（Ｃ）に示すように、表紙反転部材３９が降下し、二つ折りの表紙２のＶ字溝内に侵入し、表紙４を押し下げる如くして反転させ、表紙４の表面を露出させる。
【００７８】
背折り部材４０は、図６及び図１１（Ａ）に示すように、水平に配列されたローラの列として構成される。このローラの列が、上記表紙反転部材３９によって垂直方向に展延させられた表紙４に対峙するように配置される。
【００７９】
背折り部材４０のローラの列は、その全体が図示しない流体圧シリンダ、モータ等の駆動手段によって水平方向に往復運動可能であり、図１１（Ｃ）に示すように、表紙４が下方に垂れ下がると、表紙４側へと移動して、図１２（Ｄ）に示すように、表紙４の背部４ｂを本文２の堆積体３の背に対向させる。
【００８０】
なお、このとき重畳部１５の開閉板３６は、この背折り部材４０のローラ列に干渉しない位置へと逃避している。
【００８１】
冊子押し出し部材４１は、図６及び図１１（Ａ）に示すように、上記第一のガイド体３０のやや上方に設置された押し出し板として構成される。この押し出し板は、図示しない流体圧シリンダ、モータ等の駆動手段によって、第一と第二のガイド体３０，３１の壁間を垂直方向に往復昇降運動可能である。
【００８２】
図１２（Ｄ）に示すように、上記背折り部材４０であるローラの列が重畳部１５の直下に到来して表紙４の背部４ｂを本文２の堆積体３の背に対峙させると、冊子押し出し部材４１が下降し、堆積体３を表紙４ごと第一と第二のガイド体３０，３１の下方に押し出す。これにより、本文２の堆積体３及び表紙４は、図１２（Ｅ）に示すように、背折り部材４０であるローラ間を垂直下方へ通り抜ける。また、その際表紙４の片側が背折り部材４０であるローラに押えられつつ堆積体３の反対側の外面に貼着される。
【００８３】
加圧部材４２は、図６及び図１１（Ａ）に示すように、上記重畳部１５の下方で垂直方向に二列で配列されたローラによって構成される。このローラの列が、上記表紙４でくるまれて背折り部材４０であるローラの間を降下して来た本文２の堆積体３を表紙４ごと加圧するように配置される。
【００８４】
加圧部材４２としてのローラの列は、図示しないモータ等の駆動手段によって回転可能であり、図１２（Ｅ）（Ｆ）に示すように、降下して来た表紙４でくるまれた本文２の堆積体３を下方に搬送しつつプレスする。これにより、本文２同士がより正確かつ強固に接着し、表紙４と本文２もより正確かつ強固に接着する。
【００８５】
加圧部材４２であるローラの列間の間隔は、冊子であるアルバム１の厚さに応じて加減可能である。
【００８６】
図６に示すように、上記表紙くるみ部１６の加圧部４２の直下には、断裁部４３が設置される。
【００８７】
断裁部４３は、上記プレスされたアルバム１を受容する溝部材４４と、アルバム１の小口を断裁する断裁刃４５とを具備する。
【００８８】
図１２（Ｆ）に示すように、アルバム１が加圧部材４２のローラ間を通過すると、図６に示すように、溝部材４４がアルバム１を受け止め、溝外に露出したアルバム１の小口を断裁刃４５が溝部材４４の上端４４ａに接するようにして切断し整える。これにより、一冊のアルバム１が完成する。
【００８９】
なお、アルバム１の小口が当初から揃っている場合は、この断裁部４３は不要である。また、アルバム１の天地は、上記重畳部１５の第一と第二のガイド体３０，３１等の作用によって綺麗に揃えられるので、断裁は不要であるが、必要に応じてアルバムの天又は地を切り揃えるための断裁刃が設けられる。
【００９０】
次に、上記構成の冊子製造装置の作用について説明する。
【００９１】
（１）まず、画像がプリントされた枚葉状の本文２及び表紙４が用意される。本文２に対してはその内面に所望の画像がプリントされ、表紙４に対してはその外面に所望の画像がプリントされる。
一枚の本文２が、図６に示す冊子製造装置の切り込み部１１へと、例えばオペレータによる手差しによって挿入される。本文２はその内面である画像の表示面が上側を向くように挿入される。
本文２は無端ベルト等によってストッパ１８へと搬送され、その間にカッター１８ａによって、図４（Ｂ）に示すように山折れ線の箇所に切り込み５を入れられる。このとき折り目入れ用ローラ１９は本文２に接触しない待機位置へと移動している。
【００９２】
（２）切り込み５を入れられた本文２がストッパ１８に当たって停止すると、折り部１３のブレード２０が降下し、本文２の谷折れ線５ａに対応する箇所に当たって、本文２を押し下げる。この押し下げられる本文２はニップローラ２１によって挟まれ、山折れ線上で二つ折りされる。本文２の谷折れ線５ａの反対側の山折れ線上には切り込み５が入れられているので、本文２は本文２の谷折れ線５ａ上に皺等を生じることなく円滑かつ正確に二つ折りされる。
【００９３】
（３）二つ折りされた本文２は、接着剤塗布部１４において、図７（Ａ）（Ｂ）又は図８（Ａ）（Ｂ）に示すように、一方の外面に接着剤８を塗布される。
接着剤８は、本文２の外面に対しその端縁から例えば３ｍｍ程度内側に留まるように貼着される。
【００９４】
（４）接着剤８を塗布された二つ折りの本文２は、図６及び図９（Ａ）に示すように、重畳部１５における第一のガイド体３０の入口へと侵入し、その背が開閉板３６に当たって停止する。
図９（Ｂ）に示すように、この停止した本文２に対して第一の押圧体３２が接近して接触し、本文２を第一のガイド体３０の通路内へと押し込む。その際、本文２の折り曲げられた背がピン３７に当たって弾性的に湾曲し、本文２の両端が第一のガイド体３０内へと入り込むと同時にピン３７を乗り越える。第一のガイド体３０の壁３０ａ間は本文２の幅よりも小さいので、本文２は湾曲したまま第二のガイド体３１内へと第一の押圧体３２によって送り込まれる。
この本文２は冊子であるアルバム１の初頁のものであるから、本文２が第二のガイド体３０内に入ったとき、本文２の両端が第一の押圧体３２に押されてローラ３５の列に接して停止し、続いて第二の押圧体３３によって接着剤８と反対側の凸面を押圧されてローラ３５の列上で扁平化される。
【００９５】
（５）その後、後続の本文２が上記と同様にして重畳部１５内で集積され、先に堆積した本文２に後から堆積する本文２の接着剤８が付着するように本文２が積み重ねられ図３のごとき堆積体３が形成される。
この堆積の際、ピン３７の作用で本文２が湾曲しているので、図１０（Ｄ）に示すように、第一の押圧体３２の押圧によってまず本文２の接着剤８の付着していない凹面の両端が、先行する本文２の外面に接触し、続いて第二の押圧体３３の押圧によって本文２の中央の凹面が先行する本文２の外面に接触することになる。
このように、本文２同士の接触と接着とが同時に行われるのではなく、時間差をもって行われることになり、従って、後から積み重ねられる本文２は先に積まれた本文２に対し位置ズレ、ねじれ、皺等を生じることなく、正確な位置関係で貼着され集積されることになる。
【００９６】
（６）本文２が一冊のアルバム分だけ重畳部１５内で積み重ねられると、表紙４が図６に示す冊子製造装置の折り目入れ部１２へと、例えばオペレータによる手差しによって挿入される。表紙４はその画像が表示された表面が上側を向くように挿入される。
表紙４は無端ベルト等によってストッパ１８へと搬送され、その間に折り目入れ用ローラ１９によって、図５に示すように背部４ｂに相当する箇所に折り目９ａ，９ｂ，９ｃ，９ｄを入れられる。このときカッター１８ａは表紙４に接触しない待機位置へと移動している。
【００９７】
（７）折り目９ａ，９ｂ，９ｃ，９ｄを入れられた表紙４がストッパ１８に当たって停止すると、折り部１３のブレード２０が降下し、表紙４の折り目９ｂに対応する箇所に当たって、表紙４を押し下げる。この押し下げられる表紙４はニップローラ２１によって挟まれ、一本の折り目９ｂ上で裏返し状態に二つ折りされる。
【００９８】
（８）二つ折りされた表紙２は、接着剤塗布部１４において、図７（Ａ）（Ｂ）又は図８（Ａ）（Ｂ）に示すように、一方の内面に接着剤８を塗布される。
接着剤８は、表紙４の内面に対しその端縁から例えば３ｍｍ程度内側に留まるように貼着される。
【００９９】
（９）接着剤８を塗布された二つ折りの表紙４は、図６及び図９（Ａ）に示した本文２と同様に、重畳部１５における第一のガイド体３０の入口へと侵入し、表紙４の折り目９ｂが開閉板３６に当たって停止する。
この停止した表紙に対して、図９（Ｂ）に示した本文２と同様に、第一の押圧体３２が接近して接触し、表紙４を第一のガイド体３０の通路内へと押し込む。その際、表紙４の折り曲げられた背がピン３７に当たって弾性的に湾曲し、表紙４の幅方向の両端が第一のガイド体３０内へと入り込むと同時にピン３７を乗り越える。第一のガイド体３０の壁３０ａ，３０ａ間は表紙４の幅よりも小さいので、表紙４は湾曲したまま第二のガイド体３１内へと第一の押圧体３２によって送り込まれる。
【０１００】
（１０）表紙４が第二のガイド体３１内に入ったとき、第一の押圧体３２に押されて表紙４の凹面の両端が本文２の堆積体３に接して停止し、続いて第二の押圧体３３によって接着剤８と反対側の凸面を押圧され、本文２上に扁化に貼着される。
この堆積の際、表紙４はピン３７の作用で湾曲しているので、図１０（Ｄ）に示した本文２と同様に、第一の押圧体３２の押圧によってまず表紙４の接着剤８が付着していない凹面の両端が、本文２の外面に接触し、続いて第二の押圧体３３の押圧によって表紙４の中央の凹面が本文２の外面に接触することになる。
これにより、本文２と同様に、表紙４は位置ズレ、ねじれ、皺等を生じることなく本文２の堆積体３上に正確に重なり合うように貼着される。
【０１０１】
（１１）表紙４が本文２の堆積体３に貼着されると、図１１（Ｂ）（Ｃ）に示すように、表紙くるみ部１６の表紙反転部材３９が降下し、二つ折りされた表紙４のＶ字溝内に侵入し、表紙４を押し下げる如くして反転させ、表紙４の画像が表示された表面を露出させる。
【０１０２】
（１２）図１１（Ｃ）に示すように、表紙４が下方に垂れ下がると、表紙くるみ部１６の背折り部材４０であるローラ列が表紙４側へと移動して、図１２（Ｄ）に示すように、表紙４の背部４ｂを本文２の堆積体３の背に対向させる。
このとき重畳部１５の開閉板３６はこのローラ列に干渉しない位置へと逃避している。
【０１０３】
（１３）図１２（Ｄ）に示すように、背折り部材４０であるローラ列が重畳部１５の直下に到来して表紙４の背部４ｂを本文２の堆積体３の背に対峙させると、押し出し板４１が下降し、本文２の堆積体３を表紙４ごと第二のガイド体３１の下方に押し出す。
これにより、本文２の堆積体３及び表紙４は、図１２（Ｅ）に示すように、背折り部材４０のローラ間を垂直下方へ通り抜ける。その際、表紙４の片側が背折り部材４０のローラに押えられつつ本文２の堆積体３の反対側における既に接着剤８が付着した外面に貼着される。
【０１０４】
（１４）図１２（Ｅ）（Ｆ）に示すように、加圧部材４２であるローラ列が、降下して来た表紙４でくるまれた本文２の堆積体３を下方に搬送しつつプレスする。
これにより、本文２同士がより正確かつ強固に接着し、表紙４と本文２もより正確かつ強固に接着する。
【０１０５】
（１５）図１２（Ｆ）に示すように、アルバム１が加圧部材４２のローラ間を通過すると、図６に示すように、断裁部４３の溝部材４４がアルバム１を受け止め、溝外に露出したアルバム１の小口を断裁刃４５が切断して切り揃える。
これにより、一冊のアルバム１が冊子として完成する。
【０１０６】
（１６）なお、この冊子製造装置によって、本文２を一部のみ含んだ冊子を製造することも可能である。その場合は、一枚の本文２を重畳部１５内で集積した後、直ちに表紙４を重畳部１５内へと送って本文２に貼着するようにすればよい。
【０１０７】
＜実施の形態２＞
図１３に示すように、この実施の形態２における冊子製造装置では、湾曲手段として実施の形態１におけるピン３７に代えてガイド棒４６ａ，４６ｂ，４６ｃが設けられている。
【０１０８】
すなわち、三本のガイド棒棒４６ａ，４６ｂ，４６ｃが、接着剤塗布部１４から第一のガイド体３０の入口へと、本文２又は表紙４の搬送路に沿って伸びている。三本のガイド棒４６ａ，４６ｂ，４６ｃのうち、両側のガイド棒４６ａ，４６ｂは本文２又は表紙４の接着剤塗布面と反対側の両側に当接するように伸び、中央のガイド棒４６ｃは本文２又は表紙４の接着剤塗布面側の中央に当接するように、かつ、本文２又は表紙４の接着剤塗布面側の中央を凹状に湾曲させるように伸びている。
【０１０９】
また、図示しないが、本文２又は表紙４をガイド棒４６ａ，４６ｂ，４６ｃに沿って接着剤塗布部１４から第一のガイド体３０の入口へと強制的に送るための駆動部が設けられる。この駆動部は、例えば本文２又は表紙４の小口側に引掛ける突起をモータで走行させるものとすることができる。
【０１１０】
その他、実施の形態２において実施の形態１の冊子製造装置と同じ部分には同じ符号を付して示し、重複した説明を省略する。
【０１１１】
なお、本発明は上記実施の形態に限定されるものではなく、本発明の要旨の範囲内において種々変更可能である。例えば、実施の形態では冊子をアルバムとして説明したが、本発明によれば絵本、カタログ等とすることもできる。
【符号の説明】
【０１１２】
１…アルバム
２…本文
３…堆積体
４…表紙
５…切り込み
８…接着剤
８ａ…両面粘着テープ
９ａ…折り目
１０…空隙
１１…切り込み部
１２…折り目入れ部
１３…折り部
１４…接着剤塗布部
１５…重畳部
１６…表紙くるみ部
３０…第一のガイド体
３１…第二のガイド体
３２…第一の押圧体
３３…第二の押圧体
３７…ピン
４６ａ，４６ｂ，４６ｃ…ガイド棒
【図１】
2010221678.tif 000003
【図２】
2010221678.tif 000004
【図３】
2010221678.tif 000005
【図４】
2010221678.tif 000006
【図５】
2010221678.tif 000007
【図６】
2010221678.tif 000008
【図７】
2010221678.tif 000009
【図８】
2010221678.tif 000010
【図９】
2010221678.tif 000011
【図１０】
2010221678.tif 000012
【図１１】
2010221678.tif 000013
【図１２】
2010221678.tif 000014
【図１３】
2010221678.tif 000015